(57)【要約】【課題】孔版原紙が芯管にロール状に巻かれてなり、所定の情報を記憶する記憶手段を有する孔版原紙ロールにおいて、芯管と記憶手段とを容易に分別できるようにする。【解決手段】記憶手段２０を芯管１０の一部を構成する壁部１２に設置し、壁部１２における記憶手段２０が設置された部分の周囲にミシン目状の孔を設けることにより切断容易部１４を形成する。【選択図】          図２
2004255701.tif 000002
【特許請求の範囲】
【請求項１】
孔版原紙が芯管にロール状に巻かれてなり、所定の情報を記憶する記憶手段を有する孔版原紙ロールにおいて、
前記記憶手段が、前記芯管の一部を構成する壁部もしくは前記芯管に固定された壁部に設置されており、
前記壁部における前記記憶手段が設置された部分の周囲に切断容易部が形成されていることを特徴とする孔版原紙ロール。
【請求項２】
孔版原紙が芯管にロール状に巻かれてなり、所定の情報を記憶する記憶手段を有する孔版原紙ロールにおいて、
前記記憶手段が、前記芯管の端面に当接して前記芯管に固定された部材の一部を構成する壁部に設置されており、
前記壁部における前記記憶手段が設置された部分の周囲に切断容易部が形成されていることを特徴とする孔版原紙ロール。
【請求項３】
前記壁部が、前記芯管の内側に該芯管の軸方向に対して略垂直方向に立設されていることを特徴とする請求項１または２記載の孔版原紙ロール。
【請求項４】
前記切断容易部が、前記壁部の前記記憶手段が設けられた部分の周囲に孔をミシン目状に設けることにより形成されていることを特徴とする請求項１から３いずれか１項記載の孔版原紙ロール。
【請求項５】
前記切断容易部が、前記壁部の前記記憶手段が設けられた部分の周囲に薄肉部を設けることにより形成されていることを特徴とする請求項１から３いずれか１項記載の孔版原紙ロール。
【請求項６】
前記壁部の前記記憶手段が設けられた部分の脱落強度Ｄが、８Ｎ＜Ｄ＜１８５Ｎであることを特徴とする請求項１から５いずれか１項記載の孔版原紙ロール。
【請求項７】
孔版原紙が芯管にロール状に巻かれてなり、所定の情報を記憶する記憶手段を有する孔版原紙ロールにおいて、
前記記憶手段が、前記芯管に着脱可能な記憶手段設置部材を介して前記芯管に設けられていることを特徴とする孔版原紙ロール。
【請求項８】
前記記憶手段設置部材が、前記芯管の内側に前記芯管の軸方向に略垂直方向に立設された、前記記憶手段が取り付けられる壁部を有するものであること特徴とする請求項７記載の孔版原紙ロール。
【請求項９】
前記記憶手段設置部材が、前記芯管の端面に当接する当接部を有するものであることを特徴とする請求項７または８記載の孔版原紙ロール。
【請求項１０】
前記当接部と前記壁部とを接続する接続部の前記芯管の内面に対向する面に、前記内面に圧接するリブが設けられていることを特徴とする請求項９記載の孔版原紙ロール。
【請求項１１】
前記記憶手段設置部材の引抜強度Ｈが、
３Ｎ＜Ｈ＜２５０Ｎであることを特徴とする請求項７から１０いずれか１項記載の孔版原紙ロール。
【請求項１２】
前記記憶手段を保護する保護板が、前記記憶手段の前記芯管の軸方向外側に位置するように前記芯管の端部に配設されていることを特徴とする請求項３または８記載の孔版原紙ロール。
【請求項１３】
前記記憶手段が、前記壁部の前記芯管の軸方向内側の面に設けられていることを特徴とする請求項３または８記載の孔版原紙ロール。
【発明の詳細な説明】
【０００１】
【発明の属する技術分野】
本発明は、孔版原紙が芯管にロール状に巻かれてなり、所定の情報を記憶する記憶手段を有する孔版原紙ロールに関するものである。
【０００２】
【従来の技術】
従来より、スキャナなどにより原稿を読み取った画像データに基づいてサーマルヘッドなどを駆動して孔版原紙を溶融穿孔し、その後切断して版を作成し、この作成された版を印刷ドラムに巻着して印刷ドラムの内側よりインクを供給し、ローラなどによりインキを印刷用紙に転移することにより印刷を行う孔版印刷装置が種々提案されている。
【０００３】
上記のような孔版印刷装置においては、操作性向上や取り扱いが容易などの理由から孔版原紙がロール状に巻かれた孔版原紙ロールが使用される。そして、特許文献１においては、上記孔版原紙ロールにメモリＩＣなどの記憶手段を設け、このメモリＩＣに孔版原紙ロールの残量データや孔版原紙ロールの種類データなどのパラメータを記憶させた孔版原紙ロールが提案されている。そして、上記のようにしてメモリＩＣに記憶された残量データや種類データなどのパラメータは孔版印刷装置により読み出され、孔版印刷装置における種々の動作制御のために使用される。
【０００４】
また、上記のような孔版原紙ロールのメモリＩＣから上記のような種々の情報を読み取る方法として、孔版原紙ロールにアンテナを有するメモリＩＣを設け、このアンテナを介してメモリＩＣに記憶された情報を非接触で読み取る方法が提案されている。そして、上記のように非接触でメモリＩＣから情報を読み取る場合におけるメモリＩＣの設置の方法として、たとえば、特許文献２において、孔版原紙が巻かれる芯管内にメモリＩＣを設ける方法が提案されている。また、特許文献３においては、孔版原紙ロールがその使用時に回転しても安定した感度で読取りを行うことができるように、アンテナを有するメモリＩＣを芯管の内側に芯管の軸方向に対して略垂直方向に立設する方法が提案されている。上記のように立設されたメモリＩＣに対向するように読取用のアンテナを設けて読取りを行うことにより、より高感度な読取りが可能となる。
【０００５】
【特許文献１】
特開２００１−１８５０７号公報
【０００６】
【特許文献２】
特開２０００−２８１２６８号公報
【０００７】
【特許文献３】
実公平７−２５２５号公報
【０００８】
【発明が解決しようとする課題】
しかしながら、上記のようなメモリＩＣを有する孔版原紙ロールは、その使用後はメモリＩＣと芯管とを分別して廃棄したり、リサイクルに用いたりする必要があり、特許文献２に記載の方法のように、芯管内にメモリＩＣを設けたのではメモリＩＣと芯管とを分別することが困難である。また、特許文献３に記載の方法でも、そのメモリＩＣを設ける位置によってはやはりメモリＩＣと芯管とを分別することが困難である。
【０００９】
また、上記のように非接触でメモリＩＣから情報を読み取るためには、より感度よく読み取る必要があり、特許文献３には、アンテナを有するメモリＩＣを芯管の内側に芯管の軸方向に略垂直に立設することによりアンテナ感度を向上させ、また孔版原紙ロールの回転に対しても安定してメモリＩＣから情報を読み取ることができる方法が提案されているが、メモリＩＣを芯管の内側に芯管の軸方向に略垂直に立設することは容易ではなく、孔版原紙ロールの使用中にメモリＩＣの向きが変わってしまう可能性もある。また、メモリＩＣの立設される方向だけでなくメモリＩＣから情報を読み取る読取手段との距離もより短く、常に同じ距離で情報の読み取りができるようにすることが望ましい。したがって、読取用のアンテナとメモリＩＣとは平行な位置関係を保つ必要がある。
【００１０】
また、上記のようにして設けられるメモリＩＣは電子部品であるために衝撃などにより破壊されやすく、できるだけ衝撃が加わらないようにすることが望ましい。
【００１１】
本発明は、上記のような事情に鑑み、上記のようなメモリＩＣなどの記憶手段を有する孔版原紙ロールにおいて、記憶手段と芯管とを容易に分別することができる孔版原紙ロールを提供することを目的とするものである。
【００１２】
また、記憶手段を芯管の内側に芯管の軸方向に略垂直に容易に立設することで、読取手段と平行な位置関係を保つことができ、さらに読取手段との距離も一定に維持することができる孔版原紙ロールを提供することを目的とする。
【００１３】
また、記憶手段が外部からの衝撃により破壊されるのを防止することができる孔版原紙ロールを提供することを目的とする
【００１４】
【課題を解決するための手段】
本発明の第１の孔版原紙ロールは、孔版原紙が芯管にロール状に巻かれてなり、所定の情報を記憶する記憶手段を有する孔版原紙ロールにおいて、記憶手段が、芯管の一部を構成する壁部もしくは芯管に固定された壁部に設置されており、壁部における記憶手段が設置された部分の周囲に切断容易部が形成されていることを特徴とする。
【００１５】
ここで、上記「切断容易部」とは、壁部の切断容易部以外の部分と比較して強度が弱くなっている部分を意味し、たとえば、壁部を貫通する孔を記憶手段が設置された部分の周囲に設けることにより形成するようにしてもよいし、薄肉部を記憶手段が設置された部分の周囲に設けることにより形成するようにしてもよい。
【００１６】
本発明の第２の孔版原紙ロールは、孔版原紙が芯管にロール状に巻かれてなり、所定の情報を記憶する記憶手段を有する孔版原紙ロールにおいて、記憶手段が、芯管の端面に当接して芯管に固定された部材の一部を構成する壁部に設置されており、壁部における記憶手段が設置された部分の周囲に切断容易部が形成されていることを特徴とする。
【００１７】
ここで、上記第２の孔版原紙ロールは、上記第１の孔版原紙ロールにおける上記「芯管に固定された壁部」の具体的な一態様として上記「芯管の端面に当接して芯管に固定された部材の一部を構成する壁部」を採用したものである。
【００１８】
また、上記第１および第２の孔版原紙ロールにおいては、壁部を、芯管の内側にその芯管の軸方向に対して略垂直方向に立設するようにすることができる。
【００１９】
また、切断容易部を、壁部の記憶手段が設けられた部分の周囲に孔をミシン目状に設けることにより形成するようにすることができる。
【００２０】
また、切断容易部を、壁部の記憶手段が設けられた部分の周囲に薄肉部を設けることにより形成するようにすることができる。
【００２１】
また、壁部の記憶手段が設けられた部分の脱落強度Ｄを、８Ｎ＜Ｄ＜１８５Ｎを満たす大きさとなるようにすることができる。
【００２２】
ここで、上記「脱落強度Ｄ」とは、記憶手段が設けられた部分を切断容易部で切断して脱落させるのに必要な力を示すものである。脱落強度Ｄは、孔版原紙ロールの使用中や搬送中に記憶手段が設けられた部分が脱落しない程度の大きさであって、かつ記憶手段が設けられた部分を指で押して切断することができる程度の大きさであることが望ましく、上記範囲「８Ｎ＜Ｄ＜１８５Ｎ」は、上記のような観点から評価を行い規定された範囲である。脱落強度Ｄの測定方法などについては、後に詳述する。
【００２３】
本発明の第３の孔版原紙ロールは、孔版原紙が芯管にロール状に巻かれてなり、所定の情報を記憶する記憶手段を有する孔版原紙ロールにおいて、記憶手段が、芯管に着脱可能な記憶手段設置部材を介して芯管に設けられていることを特徴とする。
【００２４】
また、上記第３の孔版原紙ロールにおいては、上記記憶手段設置部材として、芯管の内側に芯管の軸方向に略垂直方向に立設された、記憶手段が取り付けられる壁部を有するものを利用することができる。
【００２５】
また、上記記憶手段設置部材として、芯管の端面に当接する当接部を有するものを利用することができる。
【００２６】
また、当接部と壁部とを接続する接続部の芯管の内面に対向する面に、上記内面に圧接するリブを設けるようにすることができる。
【００２７】
また、上記記憶手段設置部材の引抜強度Ｈを、３Ｎ＜Ｈ＜２５０Ｎを満たす大きさとなるようにすることができる。
【００２８】
ここで、上記「引抜強度Ｈ」とは、記憶手段設置部材を芯管から取り外すのに必要な力を示すものである。引抜強度Ｈは、記憶手段設置部材が容易に外れない程度の大きさであって、かつ指で取り外すことができる程度の大きさであることが望ましく、上記範囲「３Ｎ＜Ｈ＜２５０Ｎ」は、上記のような観点から評価を行い規定された範囲である。引抜強度Ｈの測定方法などについては、後に詳述する。
【００２９】
また、上記第１から第３の孔版原紙ロールにおいては、記憶手段を保護する保護板を、記憶手段の芯管の軸方向外側に位置するように芯管の端部に配設することができる。
【００３０】
ここで、上記「芯管の端部に配設する」とは、芯管の端面に接するように配設する場合だけでなく、たとえば、芯管の端面上に所定の部材がある場合には、その部材を介して配設する場合も含むものとする。
【００３１】
また、記憶手段を、壁部の芯管の軸方向内側の面に設けるようにすることができる。
【００３２】
【発明の効果】
本発明の第１の孔版原紙ロールによれば、記憶手段を、芯管の一部を構成する壁部もしくは芯管に固定された壁部に設置し、壁部における記憶手段が設置された部分の周囲に切断容易部を形成するようにしたので、芯管と記憶手段とを容易に分別することができる。
【００３３】
本発明の第２の孔版原紙ロールによれば、記憶手段を、芯管の端面に当接して芯管に固定された部材の一部を構成する壁部に設置し、壁部における記憶手段が設置された部分の周囲に切断容易部を形成するようにしたので、上記第１の孔版原紙ロールと同様に芯管と記憶手段とを容易に分別することができる。また、記憶手段を、芯管の端面に当接して芯管に固定された部材の壁部に設置するようにしたので、たとえば、上記部材の芯管に当接する部分と上記壁部とを接続する接続部の長さを所望の長さとすれば、記憶手段の芯管の端面からの距離を所望の距離に設定することができ、上記芯管の端面側にアンテナなどの読取手段を設けるようにすれば、記憶手段と読取手段との距離を所望の一定距離に維持することができ、安定した読取りが可能となる。
【００３４】
また、上記第１および第２の孔版原紙ロールにおいて、壁部を、芯管の内側にその芯管の軸方向に対して略垂直方向に立設するようにした場合には、たとえば、アンテナなどの読取手段を壁部に対向するように設けるようにすれば、孔版原紙ロールが使用の際に回転しても安定した感度で情報を読み取ることができるとともに、より高い感度で情報を読み取ることができる。
【００３５】
また、切断容易部を、壁部の記憶手段が設けられた部分の周囲に孔をミシン目状に設けることにより形成するようにした場合には、切断容易部を容易に形成することができるとともに、記憶手段が設けられた部分の脱落強度の調整も孔の大きさや数を調整することにより容易に行うことができる。
【００３６】
また、切断容易部を、壁部の記憶手段が設けられた部分の周囲に薄肉部を設けることにより形成するようにした場合には、切断容易部を容易に形成することができるとともに、記憶手段が設けられた部分の脱落強度の調整も薄肉部の厚さを調整することにより容易に行うことができる。
【００３７】
また、壁部の記憶手段が設けられた部分の脱落強度Ｄを、８Ｎ＜Ｄ＜１８５Ｎとなる大きさとした場合には、孔版原紙ロールの使用後には比較的容易に記憶手段を芯管から取り外すことができるとともに、孔版原紙ロールの使用前および使用中に記憶手段が脱落してしまうのを回避することができる。
【００３８】
本発明の第３の孔版原紙ロールによれば、記憶手段を、芯管に着脱可能な記憶手段設置部材を介して芯管に設けるようにしたので、上記記憶手段設置部材を芯管から取り外すことにより芯管と記憶手段とを容易に分別することができる。
【００３９】
また、上記第３の孔版原紙ロールにおいて、上記記憶手段設置部材として、記憶手段が取り付けられる芯管の内側に芯管の軸方向に略垂直方向に立設された壁部を有するものを使用した場合には、たとえば、アンテナなどの読取手段を壁部に対向するように設けるようにすれば、孔版原紙ロールが使用の際に回転しても安定した感度で情報を読み取ることができるとともに、より高い感度で情報を読み取ることができる。
【００４０】
また、上記記憶手段設置部材として、芯管の端面に当接する当接部を有するものを利用した場合には、たとえば、当接部と壁部とを接続する接続部の長さを所望の長さとすれば、当接部が芯管の端面に当接することにより記憶手段の芯管の端面からの距離を所望の距離に設定することができ、上記芯管の端面側にアンテナなどの読取手段を設けるようにすれば、記憶手段と読取手段との距離を所望の一定距離に維持することができ、安定した読取りが可能となる。
【００４１】
また、当接部と壁部とを接続する接続部の芯管の内面に対向する面に、上記内面に圧接するリブを設けるようにした場合には、上記リブを上記内面に圧接することにより上記記憶手段設置部材の引抜強度を大きくすることができる。
【００４２】
また、上記記憶手段設置部材の引抜強度Ｈを、３Ｎ＜Ｈ＜２５０Ｎとなる大きさにした場合には、孔版原紙ロールの使用後には比較的容易に記憶手段を上記記憶手段設置部材とともに芯管から取り外すことができるとともに、孔版原紙ロールの使用前に上記記憶手段設置部材が脱落してしまうのを回避することができる。また、孔版原紙ロールの使用中に上記記憶手段設置部材が摺動して芯管と別々に回転してしまうのを回避することができる。
【００４３】
また、上記第１から第３の孔版原紙ロールにおいて、記憶手段を保護する保護板を、記憶手段の外側に位置するように芯管の端部に配設した場合には、記憶手段に直接接触することにより記憶手段が破壊されるのを防止することができる。
【００４４】
また、記憶手段を、壁部の芯管の軸方向内側の面に設けるようにした場合には、記憶手段に物が直接接触することにより記憶手段が破壊されるのを防止することができる。
【００４５】
【発明の実施の形態】
以下、図面を参照しながら本発明の孔版原紙ロールの第１の実施形態について説明する。図１は本孔版原紙ロールの斜視図、図２（ａ）は図１に示す孔版原紙ロールの２−２’線断面図である。
【００４６】
本孔版原紙ロール１は、図１に示すように、円筒状の芯管１０に孔版原紙Ｍがロール状に巻かれてなるものであり、図２（ａ）に示すように、芯管１０の内側に所定の情報を記憶する記憶手段２０を有するものである。そして、図２（ａ）に示すように記憶手段２０は、芯管１０の内側に該芯管の軸方向に対して略垂直方向に立設されている壁部１２に設けられている。上記のように壁部１２を設けることにより、たとえば、上記壁部１２に対向してアンテナなどの読取手段を設けるようにすれば、孔版原紙ロール１が使用の際に回転しても安定した感度で情報を読み取ることができるとともに、より高い感度で情報を読み取ることができる。
【００４７】
また、壁部１２には、図２（ａ）、（ｂ）に示すように、記憶手段２０が設けられた部分１２ａの周囲にミシン目状に孔を設けた切断容易部１４が形成されている。なお、本実施形態では、切断容易部１４としてミシン目状の孔を形成するようにしたが、ミシン目状でなくてもその他の形状の孔でもよく、また、孔を形成するのではなく薄肉部を形成するようにしてもよく、要は記憶手段２０が設けられた部分１２ａの周囲が壁部１２のその他の部分よりも弱い強度で形成されて記憶手段２０が設けられた部分１２ａの切断が容易となる構成であれば如何なる構成を採用してもよい。なお、上記のように切断容易部１４としてミシン目状の孔を形成するようにすれば、切断容易部１４を容易に形成することができるとともに、記憶手段２０が設けられた部分の脱落強度の調整も孔の大きさや数を調整することにより容易に行うことができる。
【００４８】
また、芯管１０はパルプまたは樹脂などで形成すればよい。
【００４９】
そして、本実施形態の孔版原紙ロール１は、上記のようにして設けられた壁部１２における記憶手段２０を指などで押すことにより切断容易部１４が切断され、記憶手段２０が設けられた部分１２ａを芯管１０本体から取り外すことができる。上記のように取外しを可能とすることにより孔版原紙ロール１の使用後に芯管１０本体と記憶手段２０とを分別して廃棄、回収などすることができる。
【００５０】
ここで、本実施形態の孔版原紙ロール１は、上記のようにその使用後に記憶手段２０を取り外すことができるが、一方、孔版原紙ロール１を使用中または搬送中において、記憶手段２０が脱落してしまうのは望ましくない。したがって、記憶手段２０が設けられた部分１２ａが切断容易部１４で切断されて脱落する脱落強度Ｄは、下式（１）を満たすような大きさとするのが望ましい。また、より好ましくは下式（２）を満たす範囲である。
【００５１】
８Ｎ＜Ｄ＜１８５Ｎ  ・・・  （１）
２０Ｎ＜Ｄ＜１７０Ｎ  ・・・  （２）
なお、上記脱落強度Ｄは以下のようにして測定されるものである。
【００５２】
まず、図３（ａ）に示すように、芯管１０の壁部１２にミシン目状の孔を円状に設けて切断容易部１４を形成する。上記切断容易部１４の円の直径は３１ｍｍとする。そして、図３（ｂ）に示すように、上記円の中心をプッシュプルゲージ３０（ＡＩＫＯＨ  ＥＮＧＩＮＥＥＲＩＮＧ  ＣＯＲＰ製  ９５５０Ａ）のヘッド部分３２により速度６０ｍｍ／ｍｉｎで押し、このときプッシュプルゲージ３０で測定される値が脱落強度Ｄである（環境は２３℃，５０％ＲＨ）。なお、上記ヘッド部分３２の形状は直径１５ｍｍの円である。
【００５３】
そして、上式（１）、（２）の範囲は、まず、所定の脱落強度Ｄの芯管１０を複数種類形成し、その形成された芯管１０の上記円の中心を指で押して評価することにより得られたものである。表１に上記脱落強度Ｄと評価結果との関係を示す。なお、脱落強度Ｄの調整はミシン目状の孔の数を調整するなどして行えばよい。
【００５４】
【表１】
2004255701.tif 000003
したがって、上記表１の評価結果より、上記脱落強度Ｄは、上式（１）の範囲とするのが望ましく、より好ましくは上式（２）の範囲であるといえる。そして、脱落強度Ｄを、上式（１）または（２）の範囲とすることにより、孔版原紙ロールの使用後には比較的容易に記憶手段２０を芯管から取り外すことができるとともに、孔版原紙ロールの使用前および使用中に記憶手段２０が脱落してしまうのを回避することができる。
【００５５】
次に、本発明の孔版原紙ロールの第２の実施形態について説明する。図４は本実施形態の孔版原紙ロールの断面図である。
【００５６】
本実施形態の孔版原紙ロール２は、上記第１の実施形態の孔版原紙ロール１と同様に、孔版原紙Ｍが芯管４０にロール状に巻かれてなり、所定の情報を記憶する記憶手段５０を有するものであるが、本実施形態の孔版原紙ロール２は、図４に示すように、記憶手段５０を芯管４０に着脱可能な記憶手段設置部材６０を介して芯管４０に設けるようにしたものである。
【００５７】
上記記憶手段設置部材６０の斜視図を図５に示す。図５に示すように、上記記憶手段設置部材６０はハット形状で形成されたものであり、芯管４０に取り付けた際、芯管の軸方向に略垂直方向に立設される壁部６２と、芯管４０の端面４２に当接する当接部６４と、当接部６４と壁部６２とを接続する接続部６６とから構成されている。そして、記憶手段５０は壁部６２に設置されている。記憶手段設置部材６０を上記のような形状で構成することにより、記憶手段５０が設置された記憶手段設置部材６０を芯管４０に取り付けるだけで、記憶手段設置部材６０の当接部６４を芯管４０の端面４２に当接させることにより壁部６２の端面４２からの距離を決定することができるとともに、壁部６２を芯管の軸方向に略垂直方向に立設させることができる。上記のように壁部６２を芯管の軸方向に略垂直方向に立設させることにより、たとえば、上記壁部６２に対向してアンテナなどの読取手段を設けるようにすれば、孔版原紙ロールが使用の際に回転しても安定した感度で情報を読み取ることができるとともに、より高い感度で情報を読み取ることができる。
【００５８】
そして、上記のようにして取り付けられた記憶手段設置部材６０は再び取外し可能であり、上記のように取外し可能とすることにより孔版原紙ロール１の使用後に芯管４０と記憶手段２０とを分別して廃棄、回収などすることが可能である。
【００５９】
ここで、本実施形態の孔版原紙ロール２は、上記のようにその使用後に記憶手段２０を記憶手段設置部材６０とともに取り外すことができるが、一方、孔版原紙ロール２を搬送中において、記憶手段設置部材６０が脱落してしまうのは望ましくない。また、孔版原紙ロール２は、図４における矢印Ｂ方向から所定の保持部材により側圧されて保持され、記憶手段設置部材６０と芯管４０とが一体となって回転するが、このとき記憶手段設置部材６０が摺動して芯管４０と別々に回転してしまうのも望ましくない。したがって、記憶手段設置部材６０を取り外す際の引抜強度Ｈは下式（３）を満たす大きさであることが望ましい。また、より好ましくは下式（４）を満たす大きさである。
【００６０】
３Ｎ＜Ｈ＜２３４Ｎ  ・・・  （３）
１０Ｎ＜Ｈ＜１５０Ｎ  ・・・  （４）
なお、上記引抜強度Ｈは以下のようにして測定されるものである。
【００６１】
まず、図６（ａ）に示す記憶手段設置部材６０の接続部６６の直径ａを任意に設定した記憶手段設置部材６０を複数種類形成する。そして、図６（ｂ）に示すように、記憶手段設置部材６０の壁部６２に直径４ｍｍの孔６８を形成する。なお、孔６８の位置は、図６（ａ）に示すように壁部６２の中心から８ｍｍの位置である。そして、図６（ａ）に示すように、記憶手段設置部材６０の壁部６２を、厚さ１．５ｍｍ、直径４１．８ｍｍの円形の２枚の板金７０により挟み、さらに、図６（ａ）に示すように、厚さ１．５ｍｍのＬ字板金７１を板金７０上に設置する。なお、図７（ａ）に示すように、板金７０には直径４ｍｍの孔７０ａが形成されており、板金７０の孔７０ａの板金７０の中心からの距離は、壁部６２における孔６８の壁部６２の中心からの距離と同じであり、上記のように設置する際には、壁部６２の中心と板金７０の中心、および壁部６２の孔６８と板金７０の孔７０ａがそれぞれ重ね合わされる。また、Ｌ字板金７１には、図７（ｂ）に示すように、直径４ｍｍの第１の孔７１ａと直径４ｍｍの第２の孔７１ｂとが形成されている。
【００６２】
そして、板金７０に形成された孔７０ａ、Ｌ字板金７１に形成された第１の孔７１ａおよび壁部６２に形成された孔６８と、直径４ｍｍのネジ７２とを嵌合させることにより壁部６２に板金７０とＬ字板金７１とを固定する。そして、Ｌ字板金７１の第２の孔７１ｂにプッシュプルゲージ３０（ＡＩＫＯＨ  ＥＮＧＩＮＥＥＲＩＮＧ  ＣＯＲＰ製  ９５５０Ａ）のフック３４を通し、速度６０ｍｍ／ｍｉｎで引く。このときプッシュプルゲージ３０で測定される値が引抜強度Ｈである（環境は２３℃，５０％ＲＨ）。なお、フック３４は直径３ｍｍの円柱形状の部材から形成されており、その形状、大きさや位置は図６（ａ）に示す通りである。
【００６３】
そして、上式（３）、（４）の範囲は、所定の引抜強度Ｈの記憶手段設置部材６０を芯管４０に取り付けた後、記憶手段設置部材６０を指で取り外す際の取外しの容易さを評価することにより得られたものである。表２に上記脱落強度Ｄと評価結果との関係を示す。
【００６４】
【表２】
2004255701.tif 000004
なお、評価結果１は、記憶手段設置部材６０の当接部６４の幅が芯管４０の肉厚と同一の場合、つまり芯管４０の外周より記憶手段設置部材６０の当接部６４が外側に出ていない場合における評価結果である。
【００６５】
したがって、上記表２の評価結果１より、上記引抜強度Ｈは、上式（３）の範囲とするのが望ましく、より好ましくは上式（４）の範囲であるといえる。引抜強度Ｈを上式（３）または（４）の範囲の大きさとすることにより、孔版原紙ロールの使用後には比較的容易に記憶手段５０を上記記憶手段設置部材６０とともに芯管から取り外すことができるとともに、孔版原紙ロールの使用前に上記記憶手段設置部材６０が脱落してしまうのを回避することができる。また、孔版原紙ロールの使用中に上記記憶手段設置部材６０が摺動して芯管と別々に回転してしまうのを回避することができる。
【００６６】
なお、表２における評価結果２は、記憶手段設置部材６０の当接部６４の幅が１０ｍｍ程度である場合で、芯管４０の外周より記憶手段設置部材６０の当接部６４が外側に出ている場合における評価結果である。上記のように記憶手段設置部材６０の当接部６４が芯管４０の外周より外側に出ている場合の方が取り外す際の指の引っかかりが良くなるので、引抜強度の許容範囲は広くなることになる。したがって、記憶手段設置部材６０を上記のように構成した場合には、引抜強度Ｈは下式（５）を満たす大きさであることが望ましい。また、より好ましくは下式（６）を満たす大きさである。
【００６７】
３Ｎ＜Ｈ＜２５０Ｎ  ・・・  （５）
１０Ｎ＜Ｈ＜２３４Ｎ  ・・・  （６）
また、上記第２の実施形態の孔版原紙ロールにおいては、図８に示すように、記憶手段設置部材６０の接続部６６の芯管４０の内面に対向する面にリブ６９を設けるようにしてもよい。上記のようにリブ６９を設けることにより上記記憶手段設置部材６０の引抜強度を大きくすることができる。
【００６８】
また、上記第２の実施形態の孔版原紙ロールにおいても、第１の実施形態と同様に、壁部６２にミシン目状の孔などを設けることにより切断容易部を形成するようにしてもよい。そして、上記のように切断容易部を形成することにより記憶手段５０を分別するようにする場合には、記憶手段設置部材６０を芯管４０に接着などして固定するようにしてもよい。
【００６９】
また、上記第２の実施形態の孔版原紙ロールにおいて、図９に示すように、記憶手段５０を保護する保護板８０を、記憶手段設置部材６０の当接部６４に当接するように設置してもよい。また、第１の実施形態に孔版原紙ロールにおいても、上記保護板８０を芯管１０の端部に設置するようにしてもよい。なお、上記保護板８０は孔版原紙ロールを包装するフィルムにより上記当接部６４または上記端部に固定して設置するようにしてもよいし、孔版原紙ロールを使用する際に容易に剥がすことができる程度に接着するようにしてもよい。上記のように保護板８０を設置することにより、記憶手段に直接接触することにより記憶手段が破壊されるのを防止することができる。
【００７０】
また、上記第２の実施形態の孔版原紙ロールにおいて、図１０に示すように、記憶手段５０を、壁部６２の芯管４０の軸方向内側の面に設けるようにしてもよい。また、第１の実施形態の孔版原紙ロールにおいても同様に、壁部１２の芯管１０の軸方向内側の面に記憶手段２０を設けるようにしてもよい。上記のように記憶手段を設けることにより、記憶手段に直接接触することにより記憶手段が破壊されるのを防止することができる。
【００７１】
また、上記第２の実施形態の孔版原紙ロールにおいては、図１１に示すように、孔版原紙ロール２を製版部に装填した際に、記憶手段設置部材６０の当接部６４が、記憶手段５０から所定の情報を読み取る読取手段９０を保持する保持部材９１に当接するように構成することが望ましい。また、上記第１の実施形態の孔版原紙ロールにおいても、上記と同様に孔版原紙ロール１を製版部に装填した際に、芯管１０の端部が、記憶手段２０から所定の情報を読み取る読取手段９０を保持する保持部材９１に当接するように構成することが望ましい。上記のように構成するようにすれば、たとえば、記憶手段を上記当接する面から所望の距離に位置するようにし、読取手段と記憶手段との距離をより近い距離とした場合には、記憶手段からの情報の読取りを常に高感度に行うことが可能となる。
【図面の簡単な説明】
【図１】本発明の孔版原紙ロールの第１の実施形態の斜視図
【図２】図１に示す孔版原紙ロールの２−２’線断面図および該断面図の孔版原紙ロールを矢印Ａ方向から見た図
【図３】第１の実施形態の孔版原紙ロールの記憶手段が設けられた部分の脱落強度Ｄの測定方法を説明する図
【図４】本発明の孔版原紙ロールの第２の実施形態の断面図
【図５】図４に示す孔版原紙ロールにおける着脱可能な記憶手段設置部材の斜視図
【図６】第２の実施形態の孔版原紙ロールにおける着脱可能な記憶手段設置部材の引抜強度Ｈの測定方法を説明する図
【図７】引抜強度Ｈを測定する際に使用される板金およびＬ字板金を示す図
【図８】第２の実施形態の孔版原紙ロールにおける着脱可能な記憶手段設置部材のその他の実施形態を示す図
【図９】本発明の孔版原紙ロールのその他の実施形態を示す図
【図１０】本発明の孔版原紙ロールのその他の実施形態を示す図
【図１１】本発明の孔版原紙ロールのその他の実施形態を示す図
【符号の説明】
１，２    孔版原紙ロール
１０，４０    芯管
１２，６２    壁部
１４    切断容易部
２０，５０    記憶手段
３０    プッシュプルゲージ
６０    記憶手段設置部材
７０    板金
７１    Ｌ字板金
７２    ネジ
８０    保護板
９０    読取手段
９１    保持部材
【図１】
2004255701.tif 000005
【図２】
2004255701.tif 000006
【図３】
2004255701.tif 000007
【図４】
2004255701.tif 000008
【図５】
2004255701.tif 000009
【図６】
2004255701.tif 000010
【図７】
2004255701.tif 000011
【図８】
2004255701.tif 000012
【図９】
2004255701.tif 000013
【図１０】
2004255701.tif 000014
【図１１】
2004255701.tif 000015